(57)【特許請求の範囲】
【請求項１】
液体試料中の被検出物質を検出する短冊状のクロマトグラフィー分析用ストリップの包装用台紙であって、
前記ストリップの持手部分に対応して設けられ、前記ストリップを着脱自在に固定するストリップ固定部を備え、
前記ストリップ固定部は、前記ストリップを台紙の一面側から他面側に通す第１の孔部と、前記ストリップを前記他面側から前記一面側に通す第２の孔部と、前記第１の孔部と前記第２の孔部との間に位置し、各孔部に通された前記ストリップを台紙本体部に対して掛止する掛止部とからなり、
前記第１の孔部の一部と前記第２の孔部の一部とを結ぶように切込部が形成されることにより、前記掛止部が前記台紙本体部の表裏方向に回動可能となっていることを特徴とするクロマトグラフィー分析用ストリップの包装用台紙。
【請求項２】
前記第１の孔部及び前記第２の孔部は、一直線状に配置されていることを特徴とする請求項１記載のクロマトグラフィー分析用ストリップの包装用台紙。
【請求項３】
前記第１の孔部及び前記第２の孔部は、円形状をなしており、その直径は、前記ストリップの幅の１倍〜１０倍となっていることを特徴とする請求項１又は２記載のクロマトグラフィー分析用ストリップの包装用台紙。
【請求項４】
前記回動可能の掛止部の先端に前記掛止部よりも幅広の爪部が形成されるように、前記切込部が前記第１の孔部の一部と前記第２の一部とを結んでいることを特徴とする請求項１〜３のいずれか一項記載のクロマトグラフィー分析用ストリップの包装用台紙。
【請求項５】
前記爪部は、前記掛止部の先端方向に向かって凸となる半円状をなしていることを特徴とする請求項４記載のクロマトグラフィー分析用ストリップの包装用台紙。
【発明の詳細な説明】
【技術分野】
【０００１】
本発明は、クロマトグラフィー分析用ストリップの包装用台紙に関する。
【背景技術】
【０００２】
液体試料中の被検出物質をクロマトグラフィーによって検出する測定キットとして、例えば特許文献１に記載のバイオセンサがある。このバイオセンサは、全体として短冊状をなしており、その一端側から順に、被検出物質を添加する添加部と、スポット状の標識試薬保持部及び試薬固定化部とを有する反応部と、溶液の吸収を行う吸収部とを備えている。検出結果は、一定時間が経過した後の試薬固定化部における標識試薬の結合状態に基づいて確認される（特許文献１）。
【０００３】
ところで、このような測定キットとして用いられるストリップ（試験片）は、製品として出荷される際、通常、プラスチックカセットや台紙などの支持体と共に梱包される。例えば、ストリップをプラスチックカセット等の中に収納したり（特許文献２）、ストリップ試験紙を台紙に固定したりして出荷される（特許文献３）。
【０００４】
また、ストリップの判定領域に存在する物質は、湿気などによって変質することがあるため、ストリップは、通常、乾燥剤と共にアルミ製などの袋状包装体によって包装される。包装体の内部には、乾燥剤と同じ場所にストリップが収容される場合が多く、包装の過程でストリップの判定領域と乾燥剤とが互いに接触しないように収容する必要がある。このように、プラスチックカセットや台紙などの支持体は、ストリップと乾燥剤との接触を防止するための部材としても機能している。
【特許文献１】特許３５４２９９９号公報
【特許文献２】特許２９１９３９２号公報
【特許文献３】特開２００１−５６３３９号公報
【発明の開示】
【発明が解決しようとする課題】
【０００５】
コスト削減の観点からは、カセットを使用するタイプより、カセットを使用しないタイプの方が望ましい。しかしながら、糊などの接着材料を使用してストリップを台紙に固定する方法では、作業性が悪く、また、用途によっては試験時にストリップを台紙から取り外す必要があり、その際にストリップが傷んでしまう可能性もある。
【０００６】
ストリップを台紙に接着せずに台紙及び乾燥剤と共に包装袋に包装することも考えられるが、この場合、包装作業時及び取り出し時にストリップが包装袋内で動いてしまい、使い勝手が悪いという問題があった。特にストリップが短冊状で細い場合、また、複数の部材で構成される複雑な構造の場合、ストリップの形状を保持したまま、簡易に包装作業や取り出し作業を行うのが困難であった。
【０００７】
本発明は、上記課題の解決のためになされたものであり、ストリップを好適な強度で安定に固定でき、かつ梱包時及び取り出し時の作業性に優れたクロマトグラフィー分析用ストリップの包装用台紙を提供することを目的とする。
【課題を解決するための手段】
【０００８】
上記課題の解決のため、本発明者らは、ストリップを挟んで固定することのできる台紙を検討した。まず、様々な形状の切り込みを台紙に形成することを検討したが、切り込み部分がすぐに開かない等の理由で作業性に問題があった。さらに検討を進めた結果、２つの孔部を有する台紙によって、上記課題を解決できることを見出した。
【０００９】
すなわち、本発明に係るクロマトグラフィー分析用ストリップの包装用台紙は、液体試料中の被検出物質を検出する短冊状のクロマトグラフィー分析用ストリップの包装用台紙であって、ストリップの持手部分に対応して設けられたストリップ固定部を備え、ストリップ固定部は、ストリップを台紙の一面側から他面側に通す第１の孔部と、ストリップを他面側から一面側に通す第２の孔部とからなることを特徴としている。
【００１０】
このクロマトグラフィー分析用ストリップの包装用台紙では、短冊状のストリップの持手部分を第１の孔部によって台紙の一面側から他面側に通すと共に、第２の孔部によって台紙の他面側から一面側に通すことにより、台紙における第１の孔部と第２の孔部との間の部分でストリップが好適な強度で固定される。また、梱包時には、ストリップを第１の孔部及び第２の孔部に通すだけでよく、取り出し時には、ストリップを第１の孔部及び第２の孔部から引き抜くだけでよいので、梱包時及び取り出し時の作業性にも優れている。
【００１１】
また、第１の孔部及び第２の孔部は、一直線状に配置されていることが好ましい。この場合、ストリップの梱包時及び取り出し時の作業性が一層向上する。
【００１２】
また、第１の孔部及び第２の孔部は、円形状をなしており、その直径は、ストリップの幅の１倍〜１０倍となっていることが好ましい。このような構成により、第１の孔部及び第２の孔部に対してストリップの抜き差しをスムーズに行うことができる。また、好適な強度でストリップを台紙に掛止できる。
【００１３】
また、ストリップ固定部は、第１の孔部と第２の孔部との間に位置し、各孔部に通されたストリップを台紙本体部に対して掛止する掛止部を更に有し、第１の孔部の一部と第２の孔部の一部とを結ぶように切込部が形成されることにより、掛止部が台紙本体部の表裏方向に回動可能となっていることが好ましい。
【００１４】
この場合、第１の孔部及び第２の孔部を通る短冊状のストリップの持手部分が掛止部によって好適な強度で固定される。また、掛止部を台紙本体部の表裏方向に回動させることで、掛止部が台紙本体部に対して開いた状態となり、第１の孔部及び第２の孔部の脇側からメンブレン部分を傷つけることなくストリップの取り付け及び取り外しを行うことができる。
【００１５】
また、回動可能の掛止部の先端に掛止部よりも幅広の爪部が形成されるように、切込部が第１の孔部の一部と第２の一部とを結んでいることが好ましい。このような爪部を設けることにより、掛止部を台紙本体部に対して開いたときに、掛止部と台紙本体部との間の隙間にストリップを通しやすくなるので、ストリップの取り付け及び取り外しをスムーズに行うことができる。
【００１６】
また、爪部は、掛止部の先端方向に向かって凸となる半円状をなしていることが好ましい。これにより、ストリップを掛止部と台紙本体部との間の隙間に通す際にストリップが爪部に当たりにくくなり、一層の作業性を確保できると共に、ストリップの破損も防止できる。また、爪部付近を押すことにより、掛止部を簡単に回動させることができる。
【発明の効果】
【００１７】
本発明に係るクロマトグラフィー分析用ストリップの包装台紙によれば、ストリップを好適な強度で固定でき、かつ梱包時及び取り出し時の作業性に優れたものとなる。
【発明を実施するための最良の形態】
【００１８】
以下、図面を参照しながら、本発明に係るクロマトグラフィー分析用ストリップの包装用台紙の好適な実施形態について詳細に説明する。ただし、本発明は以下の実施形態に限定されるものではなく、図面の寸法比率についても図示された寸法比率に制限されるものではない。
【００１９】
図１は、本発明の第１の実施形態に係る包装用台紙を用いて包装袋に梱包されるクロマトグラフィー分析用ストリップを示した斜視図である。図１に示すように、梱包状態におけるストリップ１は、包装用台紙２に固定された状態で、乾燥剤３と共に包装袋４内に収容されている。
【００２０】
包装袋４は、例えばアルミ製の袋である。このアルミ袋は、材質がポリエステルやアルミニウムからなる多層フィルムであり、上部と両側面の三方がシールされ、底面が開いた形状をしている。包装したい物を底面からこの包装袋内に入れた後、熱圧着等により底面をシールし内部を密閉する。また、包装袋４の上部には、開閉自在のチャック４ａが設けられている。チャック４ａの上部を鋏などで切り取ることにより、チャック４ａを開けて袋内の物を取り出すことができる。包装袋４の前面には、例えば物品名、貯蔵方法、製造元などが記載されたラベル（図示せず）が貼り付けられる。乾燥剤３は、例えば包装用台紙２と同程度の大きさの袋に収容された所定量シリカゲルである。
【００２１】
まず、ストリップ１の構造について説明する。
【００２２】
図２は、ストリップ１の構造を示す断面図である。同図に示すストリップ１は、例えばヒトの涙液（液体試料）中のＩｇＥ抗体（被検出物質）を免疫クロマトグラフィーによって検出するものである。ストリップ１は、例えば幅が約１．５ｍｍ、長さが約５７ｍｍの短冊状であり、質量は約０．０３ｇである。
【００２３】
ストリップ１は、図２に示すように、シート状の支持部材１８と、支持部材１８上に支持部材１８の一方面に接して設けられた採取部材１０、保持部材１２、検出部材１４、及び吸収部材１６と、採取部材１０、保持部材１２及び検出部材１４の支持部材１８とは反対側の表面に、保持部材１２の端部が検出部材１４に対して固定されるように接着している第１の接着部材２０ａとを備えている。
【００２４】
また、ストリップ１は、検出部材１４及び吸収部材１６の支持部材１８とは反対側の表面に、吸収部材１６の端部が検出部材１４に対して固定されるように接着すると共に、吸収部材１６及び支持部材１８の採取部材１０側とは反対側の端部を挟み込むように延在する第２の接着部材２０ｂと、支持部材１８の他方面に接して設けられた背景部材２２とを備えている。
【００２５】
採取部材１０、保持部材１２、検出部材１４及び吸収部材１６は、これらの部材の中を涙液が毛細管現象によりこの順序で移動するように、支持部材１８上でストリップ１の長手方向に並んで配列されている。保持部材１２及び検出部材１４は、保持部材１２の一部が検出部材１４の支持部材１８とは反対側の面に乗り上げることにより互いに部分的に重なり合っている。
【００２６】
採取部材１０は、例えばパルプ不織布、ポリエステル等の繊維基材からなる部材である。採取部材１０は、涙液の移動方向における上流側（以下、単に「上流側」という。）に支持部材１８からはみ出して突出する突出部分１０ａと、それ以外の部分である非突出部分１０ｂとを含む。突出部分１０ａは、支持部材１８、第１の接着部材２０ａ等の他の部材によって被覆されずに露出している。また、突出部分１０ａの端部には、平面部が形成されている。突出部分１０ａの長さは好適には５ｍｍ以上である。ストリップ１を用いてヒトの涙液を採取する際には、突出部分１０ａを、被検者の下側結膜円蓋に挿入し、ストリップ１を鉛直方向に垂らした状態で涙液の採取を行う。
【００２７】
採取部材１０に吸収された涙液は、毛細管現象により保持部材１２へ移動する。保持部材１２は、パルプ不織布、ポリエステル等の繊維基材と、ＩｇＥ抗体と特異的に結合する標識試薬とを含む。この標識試薬は、ＩｇＥ抗体を抗原とする抗体を、金コロイドにより標識したものである。標識試薬は、繊維基材に保持されており、涙液と接触すると涙液中に溶出して涙液の移動と共に移動する。標識試薬は、保持部材１２及び検出部材１４中を涙液の移動と共に移動する過程で、涙液中のＩｇＥ抗体と結合し、ＩｇＥ抗体と標識試薬との結合体を形成する。
【００２８】
保持部材１２は採取部材１０と単一の繊維基材を共有し、その繊維基材の涙液の移動方向における下流側（以下、単に「下流側」という。）の端部に標識試薬が保持されることにより、保持部材１２が形成されている。採取部材１０と保持部材１２とが一体化していることにより、ストリップ１の強度を高めることができる。また、単一の繊維基材を用いることにより、液体試料が採取部材１０から保持部材１２へ毛細管現象により移動しやすくなっている。
【００２９】
検出部材１４は、多孔性のメンブレンであるニトロセルロース膜１４ｃと、ニトロセルロース膜１４ｃに固定されている検出試薬及び対照試薬とを含む。検出試薬は、ニトロセルロース膜１４ｃ上の検出試薬固定部１４ａに固定されている。検出試薬固定部１４ａは、ストリップ１の長手方向に直交する方向に沿って線状に延在している。
【００３０】
検出試薬は、上記標識試薬が有する抗体と同一の又は異なる、ＩｇＥ抗体を抗原とする抗体である。検出試薬は、ＩｇＥ抗体と特異的に結合することにより、上記ＩｇＥ抗体と標識試薬との結合体を捕捉する。これにより、検出試薬固定部１４ａに赤いラインが現れ、このラインを目視で確認することにより、涙液中のＩｇＥ抗体の存在を判定できる。
【００３１】
対照試薬は、ニトロセルロース膜１４ｃ上の検出試薬固定部１４ａよりも下流側に位置する対照試薬固定部１４ｂに固定されている。対照試薬固定部１４ｂは、ストリップ１の長手方向に直交する方向に沿って線状に延在する。対照試薬は、標識試薬が有する抗体を抗原とする抗体である。対照試薬が、移動してきた涙液中の標識試薬を捕捉することにより、対照試薬固定部１４ｂに赤いラインが現れる。このラインを目視確認することにより、涙液および標識試薬が検出試薬固定部１４ａ上を通過したことを判定できる。対照試薬固定部１４ｂに赤いラインが現れない場合は、例え検出試薬固定部１４ａに赤いラインが現れたとしても、検出に十分な量の涙液および標識試薬が反応していない可能性があるので、試験不成立となる。
【００３２】
吸収部材１６は、セルロース等の、涙液を吸収可能な素材から形成されている。吸収部材１６は、検出部材１４から毛細管現象により移動してきた涙液や標識試薬を吸収する。また、涙液採取後、採取部材１０を精製水等の展開液に浸して涙液を展開する際に、吸収部材１６が展開液を吸収することにより、展開液の展開が円滑に行われる。また、吸収部材１６は、展開液によって洗い流された夾雑物を検出部材１４から除去する機能をも有する。
【００３３】
支持部材１８は、検出部材１４を支持するシート状の第１の支持体１８ａと、支持体１８ａの上流側及び下流側の端部における検出部材１４とは反対側の面にそれぞれ接して設けられ、互いに離間した２つの部分から構成される第２の支持体１８ｂを有する。すなわち、第２の支持体１８ｂは長手方向に分離している。
【００３４】
第１の支持体１８ａは、検出部材１４と同一の長さ及び幅を有しており、検出部材１４の裏打ちとして機能も有する。第１の支持体１８ａは、ストリップ１の構造を強化し、ストリップ１が操作中に縒れたり曲がったりすることを防止する。第１の支持体１８ａは、例えばポリエチレンテレフタレート（ＰＥＴ）等のプラスチックフィルムから形成され、液不透過性である。
【００３５】
第２の支持体１８ｂは、接着面を有する接着シートであることが好ましく、透明であっても非透明であってもよい。第２の支持体１８ｂは、第１の支持体１８ａの検出部材１４とは反対側において、その長手方向に好適には約５ｍｍ離れるように分離している。第２の支持体１８ｂは、背景部材２２よりも上流側に２ｍｍ以上延在していることが好ましい。
【００３６】
第２の支持体１８ｂは、第１の支持体１８ａ側に接着面を有する液不透過性の接着シートであることが好ましい。この接着面に対して採取部材１０、保持部材１２及び吸収部材１６が接着している。第２の支持体１８ｂの具体例としては、例えば、表面に接着層が形成されたプラスチックフィルム（例えばポリエチレンテレフタレートフィルム）がある。
【００３７】
第１の接着部材２０ａ及び第２の接着部材２０ｂは、例えば紙製の粘着テープである。第１の接着部材２０ａは、接着面を有し、その接着面で採取部材１０の下流側の端部（すなわち非突出部分１０ｂ）、保持部材１２、及び検出部材１４の上流側の端部の、支持部材１８とは反対側の表面に、保持部材１２の端部が検出部材１４に対して固定されるように接着している。
【００３８】
第２の接着部材２０ｂは、接着面を有し、その接着面で検出部材１４及び吸収部材１６の支持部材１８とは反対側の表面に、吸収部材１６の上流側の端部が検出部材に対して固定されるように接着するとともに、検出部材１４の下流側の端部、吸収部材１６及び第２の支持体１８ｂの下流側の端部を、下流側から挟み込むように接着している。
【００３９】
第２の接着部材２０ｂは、その接着面とは反対側に非接着面を有し、さらに、下流側の端部に、ツマミ部分２０ｂ´を有している。ツマミ部分２０ｂ´は、第２の接着部材２０ｂの折り返し部分において、第２の接着部材２０ｂ同士が接着することにより形成されている。第２の接着部材２０ｂが吸収部材１６の表面を被覆し、外側に非接着面を有することにより、第２の接着部材２０ｂは、ストリップ１の持手部分Ｈとして機能する。
【００４０】
背景部材２２は、第１の支持体１８ａ及び第２の支持体１８ｂの検出部材１４とは反対側に貼り付けられている。背景部材２２は、例えば支持部材１８側に接着面を有する白色の紙製テープである。背景部材２２の支持部材１８とは反対側の表面には、検出試薬固定部１４ａ及び対照試薬固定部１４ｂの位置を示す目印が着色されている。
【００４１】
続いて、包装用台紙２の構造について説明する。
【００４２】
図３は、上述したストリップを固定した状態で示す包装用台紙の正面図であり、図４は、その背面図である。図３及び図４に示すように、包装用台紙２は、例えば画用紙などの紙材であり、縦７４ｍｍ×横５２ｍｍの長方形状をなしている。また、包装用台紙２の厚さは、例えば０．２ｍｍ程度となっている。
【００４３】
包装用台紙２の一端側の領域には、ストリップ１の持手部分Ｈに対応して設けられたストリップ固定部３１が設けられている。ストリップ固定部３１は、包装用台紙２における長手方向の中心線に沿って一直線状に設けられた第１の孔部３２及び第２の孔部３３と、第１の孔部３２と第２の孔部３３の間の掛止部３４とによって構成されている。
【００４４】
第１の孔部３２及び第２の孔部３３は、例えば直径約６ｍｍ程度（ストリップ１の幅の約４倍）の真円状をなしている。第２の孔部３３の中心は、包装用台紙２の一端から約１２ｍｍ程度内側に位置しており、第１の孔部３２の中心は、第２の孔部３３の中心から更に約９ｍｍ程度内側に位置している。第１の孔部３２と第２の孔部３３との間には、約３ｍｍ程度の台紙部分、すなわち、掛止部３４が存在している。
【００４５】
包装用台紙２にストリップ１を固定する場合、まず、ストリップ１を包装用台紙２の正面側（一面側）に沿わせ、ストリップ１の持手部分Ｈを第１の孔部３２に通す。次に、第１の孔部３２を通って包装用台紙２の背面側（他面側）に突出するストリップの持手部分Ｈを第２の孔部３３に通し、当該持手部分Ｈの先端を再び包装用台紙２の正面側に突出させる。なお、ストリップ１の先端は、包装用台紙２の端からはみ出さないようにすることが好ましい。
【００４６】
このようにストリップ１の持手部分Ｈを第１の孔部３２及び第２の孔部３３に通すことにより、上述した第１の孔部３２と第２の孔部３３との間の台紙部分がストリップ１の掛止部３４として機能し、接着剤等を用いなくともストリップ１が好適な強度で包装用台紙２に対して固定される。また、ストリップ１を包装用台紙２から取り外すときは、ストリップ１において、第１の孔部３２を通っている部分の近傍を持って、ストリップ１の持手部分Ｈを第１の孔部３２及び第２の孔部３３から矢印イ方向（図３参照）に引き抜けばよい。
【００４７】
以上説明したように、このクロマトグラフィー分析用ストリップ１の包装用台紙２では、ストリップ１の持手部分Ｈを第１の孔部３２及び第２の孔部３３を通すことにより、第１の孔部３２と第２の孔部３３との間の台紙部分がストリップ１の掛止部３４として機能し、ストリップ１を好適な強度で包装用台紙２に固定することができる。
【００４８】
また、この包装用台紙２では、梱包時には、ストリップ１を第１の孔部３２及び第２の孔部３３に通すだけでよく、取り出し時には、ストリップ１を第１の孔部３２及び第２の孔部３３から引き抜くだけでよいので、梱包時及び取り出し時の作業性にも優れている。第１の孔部３２及び第２の孔部３３が包装用台紙２における長手方向の中心線に沿って一直線状に配置されていることも、ストリップ１の梱包時及び取り出し時の作業性の向上に寄与している。第１の孔部３２及び第２の孔部３３は、パンチ等によって簡単に形成できるので、包装用台紙２の製造コストも低く抑えられる。
【００４９】
また、第１の孔部３２及び第２の孔部３３は、ストリップ１の幅の１倍〜１０倍の範囲の直径を有する真円形状をなしている。このような構成により、第１の孔部３２及び第２の孔部３３に対してストリップ１の抜き差しをスムーズに行うことができる。また、好適な強度でストリップ１を包装用台紙２に掛止できる。なお、第１の孔部３２及び第２の孔部３３の直径は、ストリップ１の幅の１倍〜７．５倍であることがより好ましく、１倍〜５倍であることがさらに好ましい。
【００５０】
この点に関し、比較例として、図５及び図６に示すように、ストリップ固定部として、真円形状の孔部ではなく、種々の形状の切り込みを台紙４０に設けたものを作製し、ストリップ１の固定性と、梱包時及び取り出し時の作業性と検証した。
【００５１】
比較例１は、図５（Ａ）に示すように、直線状の辺からなる略Ｓ字形状の切り込み４２によってストリップ固定部４１Ａを構成したものである。また、比較例２は、図５（Ｂ）に示すように、台紙の幅方向に延びる２本の切り込み４３，４４、及びこれらの切り込み４３，４４の中心同士を結ぶ切り込み４５によってストリップ固定部４１Ｂを構成したものである。
【００５２】
比較例３は、図６（Ａ）に示すように、図５（Ｂ）の切り込み４３，４４よりも幅が３倍程度大きな切り込み４６，４７によってストリップ固定部４１Ｃを構成したものである。比較例４は、図６（Ｂ）に示すように、台紙の内側に向かって凸となる半円形状の切り込み４８と、この切り込み４８より内側に位置し、台紙の外側に向かって凸となる半円形状の切り込み４９とによってストリップ固定部４１Ｄを構成したものである。
【００５３】
以上の比較例１〜４では、切り込み４２〜４９にストリップ１を通して台紙に固定しようとする際、切り込み４２〜４９がスムーズに開かず、作業性の点で本実施形態に係る包装用台紙２に劣るものであった。また、比較例１〜４では、固定状態が包装用台紙２よりも不安定で、ストリップが切り込み部分で動いてしまう場合があった。その他に、固定状態において、切り込み部分４２〜４９で台紙に挟まれることによりストリップ１が変形する場合があった。
【００５４】
したがって、本実施形態のように、ストリップ１の幅の４倍程度の直径を有する真円形状の第１の孔部３２及び第２の孔部３３によってストリップ固定部３１を構成することが、ストリップ１の好適な強度での安定的な固定と、梱包時及び取り出し時の作業性との両立に好適であることが確認できた。
【００５５】
本発明は、上記実施形態に限られるものではない。例えば上述した実施形態では、第１の孔部３２及び第２の孔部３３をいずれも真円形状としたが、一方又は両方が楕円形状や矩形状となっていてもよく、楕円の一部と矩形の一部とで構成される形状となっていてもよい。第１の孔部３２及び第２の孔部３３が、真円状や楕円状のように流線形状を有している場合には、ストリップ１を包装用台紙２にスムーズに取り付けられる点で好ましく、矩形状のように直線で形成される形状の場合には、製造が容易となるので好ましい。包装用台紙２の寸法・形状は、ストリップ１の寸法・形状に合わせて適宜設計変更してもよい。
【００５６】
続いて、本発明に係るクロマトグラフィー分析用ストリップの包装用台紙の別実施形態について詳細に説明する。
【００５７】
図７は、本発明の第２の実施形態に係る包装用台紙を、上述したストリップを固定した状態で示す正面図である。この第２の実施形態に係る包装用台紙５０は、第１の孔部５２及び第２の孔部５３の脇側からストリップ１の取り付け及び取り外しができる点で、第１の孔部３２及び第２の孔部３３への抜き差しによってストリップ１の取り付け及び取り外しを行う上記実施形態と相違している。
【００５８】
図７に示すように、包装用台紙５０は、例えば画用紙などの紙材であり、縦７４ｍｍ×横５２ｍｍの長方形状をなしている。また、包装用台紙５０の厚さは、例えば０．２ｍｍ程度となっている。
【００５９】
包装用台紙５０の一端部５０ａ側の領域には、ストリップ１の持手部分Ｈに対応して設けられたストリップ固定部５１が設けられている。ストリップ固定部５１は、包装用台紙５０における長手方向の中心線に沿って一直線状に設けられた第１の孔部５２及び第２の孔部５３と、第１の孔部５２と第２の孔部５３の間の掛止部５４とによって構成されている。
【００６０】
第１の孔部５２及び第２の孔部５３は、例えば一辺が約５ｍｍ程度（ストリップ１の幅の約３．３倍）の正方形状をなしている。第２の孔部５３の中心は、包装用台紙５０の一端部５０ａから約９．５ｍｍ程度内側に位置しており、第１の孔部５２の中心は、第２の孔部５３の中心から更に約１１ｍｍ程度内側に位置している。第１の孔部５２と第２の孔部５３との間には、包装用台紙５０の長手方向の幅が約６ｍｍ程度の台紙部分、すなわち、掛止部５４が存在している。
【００６１】
また、第１の孔部５２及び第２の孔部５３の脇側（図７において右側）には、第１の孔部５２と第２の孔部５３とを結ぶように形成された切込部５５が設けられている。切込部５５は、２つの直線部分５５ａ，５５ｂと、１つの円弧部分５５ｃとを有している。直線部分５５ａは、図７の状態において、第１の孔部５２の右下の角部から包装用台紙５０の他端部５０ｂ側に向かって約１．５ｍｍ程度伸びている。直線部分５５ｂは、図７の状態において、第２の孔部５３の右上の角部から包装用台紙５０の一端部５０ａ側に向かって約１．５ｍｍ程度伸びている。円弧部分５５ｃは、直線部分５５ａの先端と直線部分５５ｂの先端とを結ぶように形成され、半径約９．５ｍｍの半円状をなしている。
【００６２】
このような第１の孔部５２の一部と第２の孔部５３とを結ぶ切込部５５により、掛止部５４は、第１の孔部５２の左上の角部と第２の孔部５３の左下の角部とを結ぶラインＬ１を基端として、包装用台紙５０の台紙本体部５０ｃの表裏方向に回動可能となっている。
【００６３】
また、掛止部５４の先端には、切込部５５の直線部分５５ａ，５５ｂ及び円弧部分５５ｃによって画成された爪部５６が掛止部５４と一体的に形成される。爪部５６は、掛止部５４よりも幅広となっており、ラインＬ１側から見て掛止部５４の先端方向に向かって凸となるように半径約９．５ｍｍの半円状をなしている。この爪部５６は、掛止部５４の回動に伴って、包装用台紙５０の台紙本体部５０ｃの表裏方向に回動可能となっている。
【００６４】
なお、例えば図７において第１の孔部５２の右上の角部と第２の孔部５３の右下の角部とを結ぶラインＬ２に折れ目を設定することにより、ラインＬ２を基端として、爪部５６が掛止部５４に対して包装用台紙５０の台紙本体部５０ｃの表裏方向に回動可能となっていてもよい。
【００６５】
包装用台紙５０にストリップ１を固定する場合、まず、包装用台紙５０の裏側から掛止部５４を軽く押さえ、図８に示すように、掛止部５４を包装用台紙５０の台紙本体部５０ｃに対して開いた状態にする。次に、ストリップ１の持手部分Ｈをピンセット等で把持しながらストリップ１を包装用台紙２の正面側に沿わせ、掛止部５４を開いたことによって生じた爪部５６と包装用台紙５０の台紙本体部５０ｃとの間の隙間から、第１の孔部５２及び第２の孔部５３側に向かってストリップ１の持手部分Ｈを差し入れる。なお、ストリップ１の先端は、包装用台紙５０の端からはみ出さないようにすることが好ましい。
【００６６】
ストリップ１を差し入れた後、掛止部５４の押さえを解除し、掛止部５４を台紙本体部５０ｃに対して閉じた状態にする。これにより、第１の孔部５２及び第２の孔部５３を通ったストリップ１が掛止部５４によって包装用台紙２に対して好適な強度で固定される。ストリップ１を包装用台紙５０から取り外すときは、図９に示すように、再び掛止部５４を包装用台紙５０の台紙本体部５０ｃに対して開いた状態にし、爪部５６と包装用台紙５０の台紙本体部５０ｃとの間の隙間からストリップ１を取り出せばよい。
【００６７】
以上説明したように、このクロマトグラフィー分析用ストリップ１の包装用台紙５０では、第１の孔部５２及び第２の孔部５３を通る短冊状のストリップ１の持手部分Ｈが掛止部５４によって好適な強度で固定される。また、掛止部５４を台紙本体部５０ｃの表裏方向に回動させることで、掛止部５４が台紙本体部５０ｃに対して開いた状態となり、第１の孔部５２及び第２の孔部５３の脇側からメンブレン部分を傷つけることなくスムーズにストリップ１の取り付け及び取り外しを行うことができる。また、第１の孔部５２及び第２の孔部５３からストリップ１を引き抜く場合に比べて、ストリップ１が台紙本体部５０ｃに当たりにくいので、メンブレンが傷つかないよう配慮する必要がなくなり、特にストリップ１の取り外し時の優れた作業性を確保できる。
【００６８】
また、包装用台紙５０では、回動可能の掛止部５４の先端に掛止部５４よりも幅広の爪部５６が形成されている。このような爪部５６を設けることにより、掛止部５４を台紙本体部５０ｃに対して開いたときに、掛止部５４と台紙本体部５０ｃとの間の隙間にストリップ１を通しやすくなるので、ストリップ１の取り付け及び取り外しを一層スムーズに行うことができる。
【００６９】
また、包装用台紙５０では、爪部５６が掛止部５４の先端方向に向かって凸となる半円状をなしている。これにより、ストリップ１を掛止部５４と台紙本体部５０ｃとの間の隙間に通す際にストリップ１が爪部５６に当たりにくくなり、一層の作業性を確保できると共に、ストリップ１の破損も防止できる。
【００７０】
なお、包装用台紙５０を用いたストリップ１の取り付けは、第１の孔部５２及び第２の孔部５３の脇側から行う方法に限られず、第１の実施形態と同様に、第１の孔部５２及び第２の孔部５３への差し込みによって行ってもよい。この場合、図１０に示すように、掛止部５４を回動させずにストリップ１を包装用台紙５０の正面側（一面側）に沿わせ、ストリップ１の持手部分Ｈを第１の孔部５２に通す。次に、第１の孔部５２を通って包装用台紙２の背面側（他面側）に突出するストリップの持手部分Ｈを第２の孔部５３に通し、当該持手部分Ｈの先端を再び包装用台紙２の正面側に突出させる。ストリップ１の取り出しは、図９に示した場合と同様に、掛止部５４を開くことによって第１の孔部５２及び第２の孔部５３の脇側から行えばよい。
【００７１】
ストリップ１の取り付けは、持手部分Ｈを第１の孔部５２及び第２の孔部５３に通す方法の方が、第１の孔部５２及び第２の孔部５３の脇側から通す方法に比べて作業性に優れる。したがって、包装用台紙５０を用いるに当たり、第１の孔部５２及び第２の孔部５３を通す方法でストリップ１の取り付けを行い、かつ第１の孔部５２及び第２の孔部５３の脇側からストリップ１の取り外しを行うと、取り付け及び取り外しを含めた全体の作業性が最も良好となる。
【００７２】
本発明は、更に種々の変形を適用可能である。図１１は、図７に示した実施形態の変形例を示す図である。この変形例に係る包装用台紙６０は、第１の孔部６２及び第２の孔部６３が円形状となっている点で、第１の孔部５２及び第２の孔部５３が正方形状となっている包装用台紙５０と相違している。
【００７３】
すなわち、包装用台紙６０のストリップ固定部６１では、第１の孔部６２及び第２の孔部６３がそれぞれ直径６ｍｍ程度（ストリップ１の幅の約４倍）の真円状をなしている。第２の孔部６３の中心は、包装用台紙６０の一端部６０ａから約１２ｍｍ程度内側に位置しており、第１の孔部６２の中心は、第２の孔部６３の中心から更に約９ｍｍ程度内側に位置している。第１の孔部６２と第２の孔部３３との間には、最小幅が約３ｍｍ程度の掛止部６４が存在している。
【００７４】
また、第１の孔部６２及び第２の孔部６３の脇側（図１１において右側）に形成された切込部６５は、包装用台紙５０と同様に、２つの直線部分６５ａ，６５ｂと、１つの円弧部分６５ｃとを有している。直線部分６５ａは、図１１の状態において、第１の孔部６２の右端から包装用台紙６０の他端部６０ｂ側に向かって約１．５ｍｍ程度伸びている。直線部分６５ｂは、図１１の状態において、第２の孔部６３の右端から包装用台紙６０の一端部６０ａ側に向かって約１．５ｍｍ程度伸びている。円弧部分６５ｃは、直線部分６５ａの先端と直線部分６５ｂの先端とを結ぶように形成され、半径約９．５ｍｍの半円状をなしている。
【００７５】
このような切込部６５により、掛止部６４は、第１の孔部６２の左端と第２の孔部６３の左端とを結ぶラインＬ１を基端として、包装用台紙６０の台紙本体部６０ｃの表裏方向に回動可能となっている。また、掛止部６４の先端には、切込部６５の直線部分６５ａ，６５ｂ及び円弧部分６５ｃによって画成された爪部６６が掛止部６４と一体的に形成される。爪部６６は、掛止部６４よりも幅広となっており、ラインＬ１側から見て掛止部６４の先端方向に向かって凸となるように半径約９．５ｍｍの半円状をなしている。この爪部６６は、掛止部６４の回動に伴って、包装用台紙６０の台紙本体部６０ｃの表裏方向に回動可能となっている。
【００７６】
なお、例えば図１１において第１の孔部６２の右端と第２の孔部６３の右端とを結ぶラインＬ２に折れ目を設定することにより、ラインＬ２を基端として、爪部６６が掛止部６４に対して包装用台紙６０の台紙本体部６０ｃの表裏方向に回動可能となっていてもよい。
【００７７】
このような包装用台紙６０においても、包装用台紙５０と同様に、第１の孔部６２及び第２の孔部６３の脇側からストリップ１の取り付け及び取り外しを行うことができるので、梱包時及び取り出し時の優れた作業性を確保できる。また、回動可能の掛止部６４の先端に設けられた掛止部６４により、一層の作業性を確保できると共に、ストリップ１の破損も防止できる。
【００７８】
図１２は、図７に示した実施形態の更に別の変形例を示す図である。この変形例に係る包装用台紙７０は、第１の孔部７２及び第２の孔部７３の形状が包装用台紙６０と相違しており、その他の点では包装用台紙６０と同様である。すなわち、包装用台紙７０のストリップ固定部７１では、図１２に示すように、第１の孔部７２の右下部分及び第２の孔部７３の右上部分がそれぞれ矩形状で、それ以外の部分が円弧形状に置き換えられたものとなっている。
【００７９】
図１１に示した包装用台紙６０では、真円状の第１の孔部６２の右端及び第２の孔部６３の右端に半円状の爪部６６の直線部分が接しているため、第１の孔部６２及び第２の孔部６３と爪部６６との間には、包装用台紙６０の台紙本体部６０ｃが先鋭の状態で介在している（図１１のＡ部分）。これに対し、包装用台紙７０では、第１の孔部７２の右下部分及び第２の孔部７３の右上部分がそれぞれ矩形状に置き換えられることにより、第１の孔部７２及び第２の孔部７３と爪部６６との間に包装用台紙７０の台紙本体部７０ｃが介在しない状態となっている。
【００８０】
したがって、包装用台紙７０では、包装用台紙６０と同様の作用効果に加え、掛止部６４と台紙本体部７０ｃとの間の隙間にストリップ１を通す際に、ストリップ１が包装用台紙７０の台紙本体部７０ｃに引っ掛かってしまうことを防止でき、作業性の確保及びストリップ１の破損を一層確実に防止できる。
【００８１】
上述した各実施形態において、製造が容易という観点からは、図７及び図１２に示したように、第１の孔部及び第２の孔部における爪部との接続部分が角部となっていることが好ましい。接続部分が角部として形成されることにより型抜きが一度でできる為、製造工程が簡略化できる。一方、ストリップの着脱容易性の観点からは、図１１及び図１２に示したように、第１の孔部及び第２の孔部の少なくとも一部が円弧状に形成されていることが好ましい。
【００８２】
さらに、切込部は、掛止部が台紙本体部の表裏方向に回動可能となるように形成されていればよく、例えば図７に示した実施形態の更なる変形例として、図１３に示すように、切込部５５ｃの円弧部分５５ｃの頂部に途切れ部分を設けることにより、爪部５６の先端が台紙本体部５０ｃと繋がった状態となっていてもよい。切込部５５ｃの途切れ部分は、円弧部分５５ｃの頂部及び両端部に３箇所設けるようにしてもよく、切込部５５ｃを点線状又は破線状にして多数設けるようにしてもよい。この場合、掛止部５４が意図せずに開いてしまうことを抑制でき、包装中のストリップ１が第１の孔部５２及び第２の孔部５３から外れることを効果的に防止できる。
【００８３】
この変形例に係る包装用台紙５０にストリップ１を固定する場合、まず、図１４に示すように、掛止部５４を回動させずにストリップ１を包装用台紙５０の正面側（一面側）に沿わせ、ストリップ１の持手部分Ｈを第１の孔部５２に通す。次に、第１の孔部５２を通って包装用台紙２の背面側（他面側）に突出するストリップの持手部分Ｈを第２の孔部５３に通し、当該持手部分Ｈの先端を再び包装用台紙２の正面側に突出させる。ストリップ１の取り出しは、図１５に示すように、切込部５５を台紙本体部５０ｃの裏面側から押すことにより円弧部分５５ｃの途切れ部分を破り、掛止部５４を開くことによって第１の孔部５２及び第２の孔部５３の脇側から行えばよい。
【図面の簡単な説明】
【００８４】
【図１】本発明の第１の実施形態に係る包装用台紙を用いて包装袋に梱包されるクロマトグラフィー分析用ストリップを示した斜視図である。
【図２】図１に示したストリップの構造を示す断面図である。
【図３】ストリップを固定した状態で示す包装用台紙の正面図である。
【図４】図３に示した包装用台紙の背面図である。
【図５】比較例に係る包装用台紙を示す正面図である。
【図６】別の比較例に係る包装用台紙を示す正面図である。
【図７】本発明の第２の実施形態に係る包装用台紙を示す正面図である。
【図８】図７に示した包装用台紙にストリップを取り付ける様子を示す図である。
【図９】図７に示した包装用台紙からストリップを取り外す様子を示す図である。
【図１０】図７に示した包装用台紙にストリップを取り付ける様子の別の例を示す図である。
【図１１】本発明の変形例に係る包装用台紙を示す正面図である。
【図１２】本発明の更に別の変形例に係る包装用台紙を示す正面図である。
【図１３】本発明の更に別の変形例に係る包装用台紙を示す正面図である。
【図１４】図１３に示した包装用台紙にストリップを取り付ける様子を示す図である。
【図１５】図１３に示した包装用台紙からストリップを取り外す様子を示す図である。
【符号の説明】
【００８５】
１…ストリップ、２，５０，６０，７０…包装用台紙、５０ｃ，６０ｃ，７０ｃ…台紙本体部、３１，５１，６１，７１…ストリップ固定部、３２，５２，６２，７２…第１の孔部、３３，５３，６３，７３…第２の孔部、３４，５４，６４…掛止部、５５，６５…切込部、５６，６６…爪部、Ｈ…持手部分、イ…ストリップの抜き取り方向。
【図１】
0005239696.tif 000002
【図２】
0005239696.tif 000003
【図３】
0005239696.tif 000004
【図４】
0005239696.tif 000005
【図５】
0005239696.tif 000006
【図６】
0005239696.tif 000007
【図７】
0005239696.tif 000008
【図８】
0005239696.tif 000009
【図９】
0005239696.tif 000010
【図１０】
0005239696.tif 000011
【図１１】
0005239696.tif 000012
【図１２】
0005239696.tif 000013
【図１３】
0005239696.tif 000014
【図１４】
0005239696.tif 000015
【図１５】
0005239696.tif 000016